(57)【要約】      （修正有）【課題】貯水タンクを経由することなく、温水タンクを容器に直接接続した構成において、容器内に空気を導入する導入手段から水が漏れ出ないようにすることができる飲料水用サーバーの構造を提供する。【解決手段】導水管２０を通じて供給源である容器１から飲料水ｗが温水タンク１３に導かれ、その際、容器１には、導入手段１０を通じてその容器１内に空気ａが流入するようになっている。温水タンク１３の上部に排出手段３０が接続され、加熱により膨張した際にその膨張した加熱気化空気ａを排出することで内圧が上昇することを抑制する機能を有する飲料水用サーバーである。この飲料水用サーバーにおいて、導入手段１０に補助タンク１１を介在させたことから、気温の上昇等に伴い、容器１内の空気が膨張した際に、その導入手段１０から飲料水ｗが漏れ出ることを防ぐことができる。【選択図】図１
0003170068.tif 000002
【実用新案登録請求の範囲】
【請求項１】
加熱装置（１７）を有しその加熱装置（１７）によって加熱された飲料水を貯留する温水タンク（１３）を備え、前記温水タンク（１３）に導水管（２０）が接続されており、前記導水管（２０）を通じて供給源である容器（１）からの飲料水（ｗ）が前記温水タンク（１３）に導かれるようになっており、前記温水タンク（１３）から送水管（１４）が引き出され、その送水管（１４）に開閉自在の供給バルブ（１５）が設けられた飲料水用サーバーにおいて、
前記導水管（２０）は、前記供給源への接続管部（２０ａ）から前記温水タンク（１３）へ通じる第一導水管部（２１）を備え、前記温水タンク（１３）の上部に排出手段（３０）が接続され、その排出手段（３０）は、前記温水タンク（１３）内の飲料水（ｗ）が加熱により膨張した際に空気（ａ）が入り込むことで内圧が上昇することを抑制する機能を有し、且つ、前記温水タンク（１３）内の空気（ａ）を外部へ排出する機能を有し、
前記導水管（２０）は並列する２つの通路（２０ａ，１０ａ）を有し、各通路（２０ａ，１０ａ）の一端は前記容器（１）内に開放され、一方の通路（２０ａ）の他端は前記第一導水管部（２１）に接続され、他方の通路（１０ａ）の他端は前記一方の通路（２０ａ）から分岐してその分岐部より上方で大気開放されて前記容器（１）内へ空気（ａ）を導入する機能を有する導入手段（１０）を構成し、前記他方の通路（１０ａ）に補助タンク（１１）を設けたことを特徴とする飲料水用サーバー。
【請求項２】
常温の又は冷却した飲料水を貯留する貯水タンク（３）と、加熱装置（１７）を有しその加熱装置（１７）によって加熱された飲料水を貯留する温水タンク（１３）とを備え、前記貯水タンク（３）及び前記温水タンク（１３）に導水管（２０）が接続されており、その導水管（２０）を通じて供給源である容器（１）からの飲料水（ｗ）が前記貯水タンク（３）及び前記温水タンク（１３）に導かれるようになっており、前記貯水タンク（３）及び前記温水タンク（１３）からそれぞれ送水管（４，１４）が引き出され、その各送水管（４，１４）に開閉自在の供給バルブ（５，１５）が設けられた飲料水用サーバーにおいて、
前記導水管（２０）は、前記供給源への接続管部（２０ａ）から前記温水タンク（１３）へ通じる第一導水管部（２１）と、前記供給源への接続管部（２０ａ）から前記貯水タンク（３）へ通じる第二導水管部（２２）とを備え、前記温水タンク（１３）の上部に排出手段（３０）が接続され、その排出手段（３０）は、前記温水タンク（１３）内の飲料水（ｗ）が加熱により膨張した際に空気（ａ）が入り込むことで内圧が上昇することを抑制する機能を有し、且つ、前記温水タンク（１３）内の空気（ａ）を外部へ排出する機能を有し、
前記導水管（２０）は並列する２つの通路（２０ａ，１０ａ）を有し、各通路（２０ａ，１０ａ）の一端は前記容器（１）内に開放され、一方の通路（２０ａ）の他端は前記第一導水管部（２１）と前記第二導水管部（２２）に接続され、他方の通路（１０ａ）の他端は前記一方の通路（２０ａ）から分岐してその分岐部より上方で大気開放されて前記容器（１）内へ空気（ａ）を導入する機能を有する導入手段（１０）を構成し、前記他方の通路（１０ａ）に補助タンク（１１）を設けたことを特徴とする飲料水用サーバー。
【考案の詳細な説明】
【技術分野】
【０００１】
この考案は、ミネラルウォーター等の飲料水をタンク内に貯留した後、その貯留した飲料水を常温又は冷温で、あるいは、その貯留した飲料水を加熱して適宜供給できるようにした飲料水用サーバーに関するものである。
【背景技術】
【０００２】
従来の飲料水用サーバーＴは、例えば、図６に示すように、貯水タンク３から上方に伸びる導水管２に容器１が着脱可能であり、その容器１内の飲料水ｗが、その自重により、導水管２を通じて貯水タンク３内へ流下するようになっている。
【０００３】
この例では、容器１は硬質の樹脂等で成型されており、予め殺菌処理等が施された状態の飲料水ｗが、例えば、２０リットル程度の単位で封入されて、密閉された状態で市場に供給されているものである。
【０００４】
容器１内の飲料水ｗが貯水タンク３に向かって徐々に流下していくとともに、容器１内には導水管２を通じて徐々に貯水タンク３内の空気ａが入り込んでいき、その容器１内の気圧が平常に保たれ流下を続ける。貯水タンク３内の水位が上昇し、導水管２の下部に達すると容器１への空気ａの流入が止まり容器１内の気圧が負圧となり流下を停止させる。このとき、貯水タンク３内の空間は、通気口６を通じて外部と連通している。
【０００５】
また、その貯水タンク３から送水管４が引き出されており、その送水管４に開閉自在の供給バルブ５が設けられている。供給バルブ５を開放すれば、貯水タンク３内の飲料水ｗが適宜外部へ供給でき、また、供給バルブ５を閉鎖すれば、その供給が止まるようになっている。このとき、貯水タンク３内の飲料水ｗの水位が導水管２の下部より下がれば、再び容器１への空気ａの流入が再開され、同時に容器１内の飲料水ｗが貯水タンク３に向かって流下し、水位が回復する。
【０００６】
また、その貯水タンク３に、導水管１２を介して温水タンク１３が接続されている飲料水用サーバーＴもある。
温水タンク１３を併設した構成では、同じく、図６に示すように、その温水タンク１３から送水管１４が引き出されており、その送水管１４に開閉自在の供給バルブ１５が設けられている。供給バルブ１５を開放すれば、温水タンク１３内の飲料水ｗが適宜外部へ供給でき、また、供給バルブ１５を閉鎖すれば、その供給が止まるようになっている（例えば、特許文献１，２参照）。
【０００７】
これらの構成において、例えば、気温が常温（例えば、２５℃程度）である場合を想定する。この場合、図４（ａ）に示すように、容器１内はやや負圧状態となって、容器１内と貯水タンク３内の水位が安定する。なお、ここで、温水タンク１３は図示していないが、図６に示すように、貯水タンク３の下方に温水タンク１３を設けた構成においても、以下の作用は同様である。
つぎに、この状態から気温が低下した場合（例えば、真冬の夜間であって、暖房が切られた場合、例えば、５℃程度）を想定する。この場合、図４（ｂ）に示すように、容器１内の空気ａが収縮することによって、その容器１内に貯水タンク３内の飲料水ｗと空気ａが吸引される。このとき、貯水タンク３の上部に設けた通気口６から貯水タンク３内に空気ａが流入する。
【０００８】
また、その後、例えば、昼間に暖房を再開し気温が上昇した場合（例えば、２５℃程度）を想定する。この場合、図４（ｃ）に示すように、容器１内の空気が膨張することにより、その容器１内の飲料水ｗが貯水タンク３に流下する。このとき、貯水タンク３内の水位が上昇し空気ａが上部の通気口６から貯水タンク３外へ流出する。
さらに、飲料水ｗを使用することなく、気温が低下した場合（例えば、５℃程度）を想定する。この場合、図４（ｄ）に示すように、再び、容器１内の空気が収縮することによって、その容器１内に貯水タンク３内の飲料水ｗが吸引される。このとき、通気口６から貯水タンク３内に空気ａが流入する。
また、このまま飲料水ｗを使用することなく、気温が上昇した場合（例えば、２５℃程度）、図４（ｅ）に示すように、容器１内の空気ａが膨張することにより、その容器１内の飲料水ｗが貯水タンク３に流下する。このとき、貯水タンク３内の空気ａが通気口６から貯水タンク３外へ流出する。
【０００９】
このように、従来の飲料水用サーバーＴでは、気温変動に対して、容器１と貯水タンク３との間の飲料水ｗの行き来によって、外部への水漏れが防止されている。
【先行技術文献】
【特許文献】
【００１０】
【特許文献１】特開２００３−１２８１９４号公報
【特許文献２】特開２００９−３５３２２号公報
【考案の概要】
【考案が解決しようとする課題】
【００１１】
ところで、図６に示すような、従来の温水タンク１３を併設した飲料水用サーバーＴでは、温水タンク１３内の飲料水ｗは温度が高いので、その飲料水ｗが加熱とともに膨張して、導水管１２内を逆流して上昇することがある。
加熱された飲料水ｗが導水管１２内を逆流すると、その導水管１２の貯水タンク３側の開口部から加熱された飲料水ｗが貯水タンク３内に入り込み、貯水タンク３内の飲料水ｗの温度を上昇させてしまう。本来、加熱されるべきでない貯水タンク３内の飲料水の温度が上昇することは、飲料水の管理上望ましくない。
【００１２】
これは、温水タンク１３内で、飲料水の加熱時に発生した気泡（空気）が、温水タンク１３内で逃げ場を失い膨張した結果、温水タンク１３内の温水を押し上げ、導水管１２内を通って、貯水タンク３内に入り込むためである。
このため、その膨張圧を逃がすため、貯水タンク３には、前述の通気口６を設ける必要がある。貯水タンク３内の飲料水が、空気に触れることは、衛生上できる限り避けたいところであるが、この構造においては、容器１への供給空気取り入れと温水膨張圧逃がしの２つの理由により必要である。
【００１３】
この現象を避けるために、温水タンク１３と容器１とを貯水タンク３を介して接続するのではなく、例えば、図５に示すように貯水タンク３を経由せずに、温水タンク１３を容器１に直接接続する構成が考えられる。この構成によれば、温水タンク１３内の加熱された飲料水ｗが貯水タンク３に入りにくくなる。なお、容器１内から導水管２０を通じて飲料水ｗが貯水タンク３や温水タンク１３に流下する際、導水管２０に併設された導入手段１０を通じて容器１内に空気ａが流入する。
【００１４】
しかし、単に、温水タンク１３を容器１に直接接続するだけでは、加熱により生じる温水タンク１３内の膨張圧が、容器１に至ってしまうことが想定される。
このため、図５（ａ）に示すように、温水タンク１３内の飲料水ｗの液面よりも上に空隙を形成するようにし、温水タンク１３に内部の空気ａを排出する機能（図中の排出手段３０）を持たせることで、温水タンク１３内と容器１内との大気バランスを維持する手法を採用することが有効である（本願の出願人が先に出願した特願２０１０−０１２１６４参照）。
【００１５】
この図５（ａ）の構成において、気温が低くなった場合（前述の例と同様、例えば、真冬の夜間であって、暖房が切られた場合、例えば、５℃程度）を想定する。この場合、図５（ｂ）に示すように、容器１内の空気が収縮することによって、その容器１内に、導入手段１０から空気ａが吸引される。
つぎに、昼間に気温が上昇した場合（例えば、２５℃程度）を想定する。この場合、図５（ｃ）に示すように、容器１内の空気ａが膨張することにより、その容器１内の飲料水ｗが温水タンク１３に流下する。このとき、温水タンク１３内の液面が上昇し、温水タンク１３内の空気ａが上部の排出手段３０から温水タンク１３外へ排出される。
【００１６】
このとき、さらに温度上昇が続くと、図５（ｄ）に示すように、さらに、温水タンク１３内の飲料水ｗが上部の排出手段３０から温水タンク１３外へ漏れ出るとともに、容器１側では導入手段１０からも飲料水ｗが漏れ出ることがある。飲料水ｗが、導入手段１０から大量に外部へ漏れ出ることは好ましくない。
【００１７】
そこで、この考案は、貯水タンクを経由することなく、温水タンクを容器に直接接続した構成において、容器内に空気を導入する導入手段から水が漏れ出ないようにすることを課題とする。
【課題を解決するための手段】
【００１８】
上記の課題を解決するために、この考案は、加熱装置を有しその加熱装置によって加熱された飲料水を貯留する温水タンクを備え、前記温水タンクに導水管が接続されており、前記導水管を通じて供給源である容器からの飲料水が前記温水タンクに導かれるようになっており、前記温水タンクから送水管が引き出され、その送水管に開閉自在の供給バルブが設けられた飲料水用サーバーにおいて、前記導水管は、前記供給源への接続管部から前記温水タンクへ通じる第一導水管部を備え、前記温水タンクの上部に排出手段が接続され、その排出手段は、前記温水タンク内の飲料水が加熱により膨張した際に空気が入り込むことで内圧が上昇することを抑制する機能を有し、且つ、前記温水タンク内の空気を外部へ排出する機能を有し、前記導水管は並列する２つの通路を有し、各通路の一端は前記容器内に開放され、一方の通路の他端は前記第一導水管部に接続され、他方の通路の他端は前記一方の通路から分岐してその分岐部より上方で大気開放されて前記容器内へ空気を導入する機能を有する導入手段を構成し、前記他方の通路に補助タンクを設けたことを特徴とする飲料水用サーバーを採用した。
【００１９】
この構成によれば、容器から導入手段へと至る前記他方の通路に補助タンクを介在させたことから、気温の上昇等に伴い、容器内の空気が膨張した際における飲料水が漏れ出ることを防ぐことができる。補助タンクが飲料水で完全に満たされない限り、飲料水が大気開放された部分に到達しないからである。このため、補助タンクは、容器内の空気に想定される最大の膨張量に対応して、導入手段側へ（他の通路へ）入り込む飲料水の体積よりも大きな体積とすることが望ましい。
なお、この飲料水用サーバーにおいて、飲料水は、その供給源である容器から直接に導水管を通じて温水タンクに導かれるが、その温水タンク内の飲料水が熱膨張した際には、その圧力膨張原因である飲料水の気化空気が排出手段から外部へ排出されるため、温水タンク内の圧力上昇を抑制し、その結果、供給源側への暖かい飲料水の逆流や圧力影響を防止することができる。
【００２０】
この構成は、温水タンクに加え、常温や冷却された飲料水を貯留する貯水タンクを備えた飲料水用サーバーにおいても有効である。
【００２１】
その構成は、常温の又は冷却した飲料水を貯留する貯水タンクと、加熱装置を有しその加熱装置によって加熱された飲料水を貯留する温水タンクとを備え、前記貯水タンク及び前記温水タンクに導水管が接続されており、その導水管を通じて供給源である容器からの飲料水が前記貯水タンク及び前記温水タンクに導かれるようになっており、前記貯水タンク及び前記温水タンクからそれぞれ送水管が引き出され、その各送水管に開閉自在の供給バルブが設けられた飲料水用サーバーにおいて、前記導水管は、前記供給源への接続管部から前記温水タンクへ通じる第一導水管部と、前記供給源への接続管部から前記貯水タンクへ通じる第二導水管部とを備え、前記温水タンクの上部に排出手段が接続され、その排出手段は、前記温水タンク内の飲料水が加熱により膨張した際に空気が入り込むことで内圧が上昇することを抑制する機能を有し、且つ、前記温水タンク内の空気を外部へ排出する機能を有し、前記導水管は並列する２つの通路を有し、各通路の一端は前記容器内に開放され、一方の通路の他端は前記第一導水管部と前記第二導水管部に接続され、他方の通路の他端は前記一方の通路から分岐してその分岐部より上方で大気開放されて前記容器内へ空気を導入する機能を有する導入手段を構成し、前記他方の通路に補助タンクを設けた構成である。
【００２２】
これらの各構成における気圧バランスによる制御方式について説明すると、容器内の飲料水が流出する事によって起こる、容器内の負圧解消を２本の管から気体流入できる構造、すなわち２本の通路を一体に成型した管を、接続口を下方に向けた状態の容器に接続できる構造とし、その２本の通路は容器との接続部より下方でそれぞれの方向に分岐し、一方の通路を分岐点より上方で大気に開放することにより、空気を容器に流入しやすい状態とし、空気の導入手段とする。もう一方の通路を分岐点より下方で、分岐点より上方で開放された構造のタンク内に接続し間接的に大気開放することで、やや、他方より空気流入しにくい構造とする。これにより、容器をセットした場合、空気の流入しやすい通路より空気が流入し容器内の負圧を解消し、空気の流入しにくい通路には容器内の液体が流下する。その通路を流下した液体は、分岐点より上方で開放された構造のタンク内にたまりはじめ、やがて、タンク内の水位を上げ、通路の分岐点に到達する。タンク内の水位が分岐点に達することにより、２つの通路の大気開放高が同一高となり、もう一方の通路にも分岐点程度まで水が浸入し、気体流入の優位性が双方で失われ気圧バランスをとることとなり、気体進入による容器内負圧の解消が停止する。負圧の解消が出来ないことにより、容器からの液体流入が制御される。
【００２３】
この考案では、従来技術のように、冷水タンクや常温水タンク内に容器との止水構造をつくることが無く、飲料水の外気との接触を抑制し、冷却装置や加熱装置による熱影響を容器に及ぼすことがない。また、空気を排出するためのバルブ構造の採用を回避することで、故障の発生する危険性を低減することもできる。
【００２４】
なお、これらの各構成において、前記排出手段が、その排出手段内に入り込んだ蒸気を冷却する機能を有する液化槽を備えれば、外部へ排出する空気中の蒸気を液化し、温水タンクに戻すことができる。
【００２５】
また、前記温水タンク内の空間の上端は、前記分岐部より上方に位置することが望ましい。前記排出手段は、前記分岐部よりも上方に位置する場所で、前記温水タンクから引き出されていることが望ましい。
【００２６】
また、前記排出手段は、前記容器よりも上方に伸び、その後に前記分岐部より下方で大気開放されることが望ましい。
【考案の効果】
【００２７】
この考案は、容器から導入手段へと至る前記他方の通路に補助タンクを介在させたことから、気温の上昇等に伴い、容器内の空気が膨張した際における飲料水が漏れ出ることを防ぐことができる。
【図面の簡単な説明】
【００２８】
【図１】一実施形態の飲料水用サーバーの全体図
【図２】図１の要部拡大図
【図３】（ａ）〜（ｅ）は、同実施形態の作用図
【図４】（ａ）〜（ｅ）は、従来例の飲料水用サーバーの模式図
【図５】（ａ）〜（ｄ）は、従来例の飲料水用サーバーの模式図
【図６】従来例の飲料水用サーバーの模式図
【考案を実施するための形態】
【００２９】
この考案の実施形態を図面に基づいて説明する。この実施形態の飲料水用サーバーＴは、図１に示すように、冷却装置７を備えた貯水タンク３と、加熱装置１７を備えた温水タンク１３とを備え、冷水と温水とを供給可能としたものである。
【００３０】
この飲料水用サーバーＴは、飲料水ｗの供給源として、貯水タンク３及び温水タンク１３の上方に、飲料水ｗを収容した樹脂製の容器１が着脱可能である。
【００３１】
この実施形態において、容器１は、予め殺菌処理等が施された状態の飲料水ｗが封入されて密閉された状態で市場に供給されている硬質樹脂製のものであり、その容器１の開口部に、前記貯水タンク３及び温水タンク１３から伸びる導水管２０が差し込み可能である。
その容器１内の飲料水ｗが、導水管２０を通じて貯水タンク３又は温水タンク１３へ供給されていくようになっている。
【００３２】
この容器１の着脱構造としては、周知の構造を採用してよいが、この実施形態では、図２に示すように、容器１の開口部内に前記導水管２０の接続管部（一方の通路）２０ａを差し込むように取付けることにより、容器１が台座８によって支えられるとともに、その開口部と導水管２０との間の液密がパッキン等により維持されるようになっている。
このため、容器１内の飲料水が周囲にこぼれることなく、導水管２０を通じて流下するようになっている。
【００３３】
なお、上記のように、容器１の開口部内周と導水管２０外周との間は液密が維持されているが、仮に、わずかにこぼれた飲料水があった場合、その飲料水は、台座８の凹部８ａの底に設けた排出路９を通じて排出されるようになっている。このため、台座８の凹部８ａ内にこぼれた飲料水ｗが滞留することがない。
【００３４】
また、容器１から飲料水ｗが導水管２０へ流下する際には、導入手段１０によって、その容器１内に外部から空気ａが送り込まれるようになっている。
【００３５】
この実施形態では、導入手段１０は吸気フィルタ１０ｂを備え、外部の空気ａを取り込み可能とした開口部１０ｃを備える。また、この導入手段１０は、図２に示すように、接続管部２０ａとともに容器１の開口部内に挿入され、台座８直下の接続管部２０ａとの分岐点から側方へ伸びる挿入管部（他の通路）１０ａを備えている。挿入管部１０ａの他端は、接続管部２０ａから分岐する地点である前記分岐部より上方において前記開口部１０ｃに至り大気開放されている。これにより、容器１内へ空気ａを導入する機能を有する導入手段１０を構成する。
【００３６】
また、その挿入管部１０ａの途中には補助タンク１１が設けられている。この実施形態では、挿入管部１０ａは補助タンク１１の底部に上向きに接続されている。また、その補助タンク１１の上部に開口部１０ｃが位置している。すなわち、この開口部１０ｃは、少なくとも、前記分岐点、すなわち、挿入管部１０ａの最も低い位置よりも上方で大気開放された構造を有している。
【００３７】
また、導水管２０は、供給源である容器１への接続管部２０ａから温水タンク１３へ通じる第一導水管部２１と、供給源への接続管部２０ａから貯水タンク３へ通じる第二導水管部２２とを備えている。すなわち、接続管部２０ａの下端において、温水タンク１３へ向かう第一導水管部２１と、貯水タンク３へ向かう第二導水管部２２とが分岐するように配管されている。飲料水ｗは、各タンク３，１３への流入を続け、その水位が、基準設定水位ラインＺに達すると、図１及び図２に示すように、流入を停止する。
【００３８】
基準設定水位ラインＺは、温水タンク１３においては、その温水タンク１３の上部に温水タンク１３の設定貯水量と設定上昇温度における膨張量と同等以上の空間１３ａが確保できる高さとなり、冷水を貯留する貯水タンク３においては、その貯水タンク３内の上面が基準設定水位ラインＺ以上となる。また、導入手段１０においては、その導入手段１０内の配管の最下点、すなわち、導水管２０との分岐部の位置が基準設定水位ラインＺとなる。このように、それぞれの高さは、水平上の位置に並ぶ構造となる。
【００３９】
従来例と同様、貯水タンク３から送水管４が引き出され、その送水管４に開閉自在の供給バルブ５が設けられている。貯水タンク３の供給バルブ５を開放すれば、貯水タンク３内の飲料水ｗが、適宜外部のコップやペットボトル等の容器へ供給でき、また、供給バルブ５を閉鎖すれば、その供給が止まるようになっている。その供給バルブ５の開閉は、レバー操作等により可能となっている。
【００４０】
また、温水タンク１３から送水管１４が引き出され、その送水管１４に開閉自在の供給バルブ１５が設けられている。温水タンク１３の供給バルブ１５を開放すれば、温水タンク１３内の加熱された飲料水ｗが、適宜外部のコップやペットボトル等の容器へ供給でき、また、供給バルブ１５を閉鎖すれば、その供給が止まるようになっている。その供給バルブ１５の開閉は、同じく、レバー操作等により可能である。
【００４１】
さらに、貯水タンク３には、その貯水タンク３内の空気ａを排出する機能を有する空気排出手段５０が備えられている。
この空気排出手段５０は、図１に示すように、貯水タンク３の上端に設けた上向きの凸部５０ａを貫通するように設けた前記送水管４と、その送水管４に形成された吸引孔５０ｂとで構成されている。
【００４２】
凸部５０ａの介在する部分は、貯水タンク３内の空間がその部分だけ他よりも上方へ突出する形状となっている。吸引孔５０ｂは、その上方へ突出する空間内に臨んでおり、その吸引孔５０ｂを介して、前記上方へ突出する空間と送水管４内の空間とが連通している。
この吸引孔５０ｂは、送水管４の管の周壁に設けられた貫通孔であってもよいし、送水管４に接続された小径の短い分岐管で構成されていてもよい。
【００４３】
このため、仮に、貯水タンク３内に貯留された飲料水ｗの液面上に空気ａが介在し、その空気ａが凸部５０ａ内に入り込んでいる場合において、供給バルブ５を操作すれば、これらの空気ａを飲料水ｗとともに外部へ排出できるようになっている。
これは、飲料水ｗが貯水タンク３外に供給される際に、その飲料水ｗの送水管４内の流れに伴って、空気ａが吸引孔５０ｂを通じて送水管４内に吸引される作用を利用したものである。
【００４４】
なお、吸引孔５０ｂは、凸部５０ａ内に介在する空気ａを残らず排出できるよう、その凸部５０ａ内の最上部に臨むことが望ましい。また、必ずしも凸部５０ａが存在しなくとも、貯水タンク３内において、送水管４に吸引孔５０ｂが設けられていれば、飲料水ｗの供給時に、同時に、空気ａの排出が可能である。
この貯水タンク３内における空気を排出するための機構としては、この実施形態の空気排出手段５０によるほか、周知の空気弁など他の構成を採用してもよい。送水管４や供給バルブ５の構成についても、この実施形態に限定されず、他の構成を採用してもよい。
【００４５】
なお、貯水タンク３及び温水タンク１３の底部には、それぞれドレンバルブ１９付きのドレン管１８が設けられている。ドレンバルブ１９は、ともに、通常は閉鎖状態に維持される。ドレンバルブ１９をそれぞれ開放することにより、貯水タンク３及び温水タンク１３の底部に沈殿した異物等を、内部の飲料水ｗとともに外部に排出できる。
【００４６】
また、温水タンク１３の上部には排出手段３０が接続されている。排出手段３０は、温水タンク１３の上面から上方へ立ち上がる排出管３１を備える。その排出管３１は、温水タンク１３の上壁を貫通するように接続され、温水タンク１３内の空間から上方へまっすぐに伸びて（立上がり部３１ａ）、液化槽３２に至る。さらに、排出管３１は、その液化槽３２から下方へ伸びて（誘導部３１ｂ）、前記排出路９に接続されている。
【００４７】
この排出管３１を設けたことにより、温水タンク１３内の飲料水ｗが加熱により膨張した際に、その圧力膨張原因である飲料水の気化空気が排出管内を上昇し外部へ排出される。これにより、温水タンク１３の内圧の上昇が抑制され、導水管２０側に、すなわち、供給源、貯水タンク３側に温水や膨張圧が逆流することが防止される。
【００４８】
なお、温水タンク１３の上部には飲料水ｗが供給されない空間が設定されている。この設定空間の容積は温水タンク１３の設定貯水量と設定上昇温度における膨張量と同等以上の空間１３ａが設けられている。これにより、温水タンク１３の貯留水が膨張した際にも排出管３１に直接飲料水ｗが進入することを防止する。
【００４９】
また、その排出管３１は、温水タンク１３内の加熱気化空気ａを外部へ排出する機能を有する。すなわち、温水タンク１３内に発生した加熱気化空気ａはその排出管３１内を上昇し、その後、排出路９を通じて外部へ排出されるから、その結果、加熱気化空気ａ発生にともなう膨張圧が供給源、貯水タンク３側へ影響することを防止することができる。
【００５０】
ここで、液化槽３２は、その排出管３１内の蒸気を冷却する機能を有する。液化槽３２内が、排出管３１内の断面よりも相当に大きい断面を有する空間となっているから、この空間内で空気ａが冷やされるようになっている。
【００５１】
排出管３１が液化槽３２を備えたことにより、空気ａが排出管３１を通じて温水タンク１３の外部へ排出される際に、この液化槽３２内で、その空気ａ中に含まれる蒸気が液化し、その液化した飲料水ｗを温水タンク１３に戻すことができる。
【００５２】
また、導水管２０の第一導水管部２１は、図１に示すように、緩衝タンク４０を介在して温水タンク１３に通じている。
この緩衝タンク４０内が、第一導水管部２１内の断面よりも相当に大きい断面を有する空間となっているから、その緩衝タンク４０は、温水タンク１３内の温度が、供給源、貯水タンク３側へ影響することを防止することができる。なお、緩衝タンク４０は、温水タンク１３内の飲料水ｗが加熱された際に想定される膨張量よりも大きくすることにより、万が一の排出管３１の詰まりなどの故障の際、他への温度影響を防止できる。
【００５３】
この考案の実施形態の作用を以下説明する。
【００５４】
この構造の特徴は、送水に電磁弁やバルブを使わずに、大気圧のバランスにより行うことにある。装置の基本構成は、図１及び図２に示す通りであるが、図３では、送水管４，１４や供給バルブ５，１５、排出手段３０の細部等を図示省略している。
【００５５】
まず、図１、図２及び図３（ａ）以下に示すように、基準設定水位ラインＺが決定されている。水位ラインＺは、温水タンク１３においては、その温水タンク１３の上部に温水タンク１３の設定貯水量と設定上昇温度における膨張量と同等以上の空間１３ａ（図中の高さＨに相当する空間）が確保できる高さとなり、冷水を貯留する貯水タンク３においては、その貯水タンク３内の上面が基準設定水位ラインＺ以上となる。また、導入手段１０においては、その導入手段１０内の配管の最下点、すなわち、導水管２０との分岐部の位置が基準設定水位ラインＺとなる。このように、それぞれの高さは、水平上の位置に並ぶ構造となる。
【００５６】
この構造において、貯水タンク３は満水状態を基本とする。このため、供給バルブ５を開いた送水時以外は密閉空間であるため、機構への影響は考えなくてよい。すなわち、飲料水ｗが大気と常時接することとなる温水タンク１３及び導入手段１０間の大気バランスにのみ関連性を持つ機構である。
【００５７】
各タンク３，１３が空の状態で容器１を装填すると、容器１内の封入空気は与圧の状態であるために、その各タンク３，１３及び導入手段１０に対し飲料水ｗが流入を開始する。
【００５８】
しかし、導水管２０の各タンク３，１３への流入口を、その導水管２０と導入手段１０との前記分岐部の位置より低く設定しているため、一旦、導入手段１０の補助タンク１１の底部付近まで飲料水ｗが入り込んだ後、容器１内が負圧となって、導入手段１０より空気ａを吸引し始める。
【００５９】
この場合、一時流入した導入手段１０内の飲料水ｗは容器１側に吸引され、また、導入手段１０より空気ａが吸引され、容器１内の負圧を解消する。容器１内の負圧が解消されたことにより、飲料水ｗは各タンク３，１３へと流入を続ける。飲料水ｗは、各タンク３，１３への流入を続け、その水位が、前記基準設定水位ラインＺに達すると流入を停止する。
【００６０】
この流入の停止は、各タンク３，１３内の大気圧と導入手段１０内の大気圧のバランスが合致することにより成されるものである。すなわち、容器１内の負圧解消のため空気ａが吸引され、その結果、特に、貯水タンク３が満水状態であれば、温水タンク１３の排出管３１と導入手段１０との間において気圧がバランス状態となるからである。
【００６１】
すなわち、この気圧バランスによる制御方式では、容器１内の飲料水ｗが流出することによって起こるその容器１内の負圧解消を２本の管からの気体ａ（空気ａ）の流入で行うことができる構造、すなわち、２本の通路（前記接続管部２０ａと、挿入管部１０ａに相当）を一体に成型した管を、その接続口を下方に向けた状態の容器１に接続できる構造としている。その２本の通路は、容器１との接続部より下方でそれぞれの通路に分岐し、一方の通路（挿入管部１０ａに相当）はその後上方へ伸びて、補助タンク１１を通って前記分岐点より上方で大気に開放することにより、空気ａを容器１に流入しやすい状態とし、気体ａの導入手段１０となる。
【００６２】
また、もう一方の通路（前記接続管部２０ａに相当）はその後下方へ伸びて、前記分岐点より下方で、前記分岐点より上方の位置で排出管３１が接続された温水タンク１３内に接続され、間接的に大気開放される。これにより、温水タンク１３側の通路２０ａは、やや、導入手段１０側の通路１０ａより空気ａが流入しにくい構造となる。これにより、容器１をセットした場合、空気ａの流入しやすい通路１０ａより空気ａが流入し、容器１内の負圧を解消し、空気ａの流入しにくい通路には容器１内の飲料水ｗが流下する。その通路２０ａを流下した飲料水ｗは、前記分岐点より上方で大気開放された構造の温水タンク１３内にたまりはじめ、やがて、温水タンク１３内の水位を上げ、前記分岐点の高さに到達する。温水タンク１３内の水位が分岐点に達することにより、２つの通路２０ａ，１０ａの大気開放高さが同一高さとなり、導入手段１０側の通路１０ａにも分岐点程度の高さまで飲料水ｗが浸入し、気体ａの流入の優位性が双方で失われ気圧バランスをとることとなり、空気ａの進入による容器１内の負圧の解消が停止する。負圧の解消が出来ないことにより、容器１からの飲料水ｗの流入が制御される。
【００６３】
そして、温水タンク１３の送水管１４の供給バルブ１５を開放し、その水位が基準設定水位ラインＺ以下に低下して、温水タンク１３内の水圧が低下することにより、温水タンク１３内と導入手段１０間の大気圧バランスが崩れ、再び導入手段１０から容器１への空気ａの流入が開始する。この空気ａの流入により、容器１内の負圧を解消し、温水タンク１３側への液体流入が開始される。
【００６４】
この飲料水用サーバーＴにおいて、例えば、真冬の夜間であって暖房が切られたような場合等を想定する。このような場合、設置場所の気温が低くなって（例えば、５℃程度）、図３（ａ）に示すような常温状態（例えば、２５℃程度）から、図３（ｂ）に示すように、容器１内の空気ａが収縮することによって、その容器１内に、導入手段１０から空気ａが吸引される。
【００６５】
つぎに、昼間に気温が上昇した場合（例えば、２５℃程度）を想定する。この場合、図３（ｃ）に示すように、容器１内の空気ａが膨張することにより、その容器１内の飲料水ｗが温水タンク１３に流下する。温水タンク１３内の液面は上昇する。このとき、導入手段１０側に入り込んだ飲料水ｗは補助タンク１１に流入し、その補助タンク１１内の水位が上昇する。
【００６６】
このように、導入手段１０に補助タンク１１を介在させたことから、気温の上昇等に伴い、容器１内の空気が膨張した際に、その導入手段１０から飲料水ｗが漏れ出ることを防ぐことができる。補助タンク１１が飲料水ｗで完全に満たされない限り、飲料水ｗが大気開放された開口部１０ｃに到達しないからである。このため、補助タンク１１は、容器１内の空気ａに想定される最大の膨張量に対応して、導入手段１０側へ（挿入管部１０ａ側へ）入り込む飲料水ｗの体積よりも大きな体積とすることが望ましい。
【００６７】
さらに、飲料水ｗを使用することなく、気温が低下した場合（例えば、５℃程度）を想定する。この場合、図３（ｄ）に示すように、再び、容器１内の空気が収縮することによって、その容器１内に飲料水ｗが吸引される。このとき、導入手段１０側から飲料水ｗが容器１内に流入し、補助タンク１１内の水位が下がっていく。
また、このまま飲料水ｗを使用することなく、気温が上昇した場合（例えば、２５℃程度）、図３（ｅ）に示すように、容器１内の空気が膨張することにより、その容器１内の飲料水ｗが温水タンク１３及び導入手段１０に流入する。このとき、導入手段１０側では、補助タンク１１内の水位が上昇するものの、開口部１０ｃから飲料水ｗが漏れ出ることはない。
【符号の説明】
【００６８】
１  容器
２  導水管
３  貯水タンク
４  送水管
５  供給バルブ
６  通気口
７  冷却装置
８  台座
９  排出路
１０  導入手段
１０ａ  挿入管部（他方の通路）
１０ｂ  吸気フィルタ
１０ｃ  開口部
１１  補助タンク
１２  導水管
１３  温水タンク
１４  送水管
１５  供給バルブ
１７  加熱装置
１８  ドレン管
１９  ドレンバルブ
２０  導水管
２０ａ  接続管部（一方の通路）
２１  第一導水管部
２２  第二導水管部
３０  排出手段
３１  排出管
３１ａ  立上がり部
３１ｂ  誘導部
３２  液化槽
４０  緩衝タンク
【図１】
0003170068.tif 000003
【図２】
0003170068.tif 000004
【図３】
0003170068.tif 000005
【図４】
0003170068.tif 000006
【図５】
0003170068.tif 000007
【図６】
0003170068.tif 000008